【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
音場表現を処理して、前記音場の少なくとも空間処理に対応するこの処理の適用によって修正した表現を提供するための方法であって、
−時間および三空間次元での前記音場を表す１組の係数の形態での、前記音場の初期表現の確立（８）と、
−前記処理動作に対応し、前記初期表現の係数に適用するフィルタリングの組み合わせによって修正した表現の確立（１０）と、
を備え、前記処理動作を定めるステップ（２）を更に備えており、該ステップが、
−球面調和に基づく前記関数の分解に対応する１組の係数の形態で、前記処理動作を表す１組の方向性関数を確立するステップ（４）と、
−前記分解に基づいてフィルタリングの組み合わせを決定し、このように定められたフィルタリングの組み合わせを前記初期表現の係数に適用するステップ（１０）を実施して、修正表現を得るステップ（６）と、
を備えたことを特徴とする方法。
【請求項２】
請求項１記載の方法において、１組の方向性関数を決定する前記ステップ（４）は、複数の所定のフォーマットの１つまたは別の１つで、前記１組の指向性関数の全部または一部を直接決定するサブステップ（１２）を含むことを特徴とする方法。
【請求項３】
請求項１または請求項２記載の方法において、１組の方向性関数を決定する前記ステップ（４）は、処理命令を自動的に解釈し、前記処理命令に基づいて、複数の所定のフォーマットの１つまたは別の１つで、前記１組の方向性関数の全部または一部を自動的に供給可能とするサブステップ（１６）を含むことを特徴とする方法。
【請求項４】
請求項１から３までのいずれか１項に記載の方法において、前記処理動作を表す１組の方向性関数は、複数の所定のフォーマットの１つまたは別の１つに応じて表現され、１組の方向性関数を確立する前記ステップ（４）は、前記所定のフォーマットから、球面調和に基づいた前記方向性関数の分解に対応する１組の係数に変換するサブステップ（１８）を含むことを特徴とする方法。
【請求項５】
請求項１から４までのいずれか１項に記載の方法において、前記処理動作を定めるステップ（２）は、更に、前記処理動作に対して１組のパラメータを確立するステップ（２０）を含むことを特徴とする方法。
【請求項６】
請求項５記載の方法において、前記１組のパラメータは、以下のパラメータ、すなわち
−重み係数を形成し、前記処理動作の性質の関数として定められた１組の定数
【数１】
2006500809.tif 000001
、および
−前記方法の動作の限界次数を指定し、所望の数学的精度限界に対応するパラメータ（Ｌ）。
の全部または一部を含むことを特徴とする方法。
【請求項７】
請求項５または請求項６のいずれかに記載の方法において、１組のパラメータを確立する前記ステップ（２０）は、前記１組のパラメータの全部または一部を直接決定するサブステップ（２２）を含むことを特徴とする方法。
【請求項８】
請求項５から７までのいずれか１項に記載の方法において、１組のパラメータを確立する前記ステップ（２０）は、処理命令を自動的に解釈し、前記処理命令に基づいて、前記１組のパラメータの全部または一部の自動供給を可能にするサブステップ（２６）を含むことを特徴とする方法。
【請求項９】
請求項６から８までのいずれか１項に記載の方法において、１組のパラメータを確立する前記ステップ（２０）は、前記処理動作の性質の関数として、前記１組の定数の全部または一部を計算するサブステップを含むことを特徴とする方法。
【請求項１０】
請求項１から９までのいずれか１項に記載の方法において、前記フィルタリングの組み合わせを決定するステップ（６）は、前記処理動作を表す１組の方向性関数の、前記球面調和に基づく分解に対応する係数の線形結合によって、フィルタリングの組み合わせを計算する少なくとも１つのサブステップ（３０）を含むことを特徴とする方法。
【請求項１１】
請求項６および１０双方を合わせた方法において、線形結合によって計算する前記サブステップ（３０）は、前記１組の定数を重み係数として用いることを特徴とする方法。
【請求項１２】
請求項１０または請求項１１のいずれかに記載の方法において、前記計算サブステップ（３０）の結果は、前記初期表現の係数に適用する前記フィルタリングの組み合わせを直接形成することを特徴とする方法。
【請求項１３】
請求項１２記載の方法において、前記処理が畳み込み処理であることを特徴とする方法。
【請求項１４】
請求項１２記載の方法において、前記処理が窓処理であることを特徴とする方法。
【請求項１５】
請求項１から１１までのいずれか１項に記載の方法において、前記処理は、前記初期音場表現に適用する少なくとも１つの歪みを含み、１組の方向性関数を確立する前記ステップ（４）において決定した前記方向性関数の全部または一部が、前記歪みを表す１組の歪み対を、球面調和に基づいた前記歪み対の分解に対応する１組の係数の形態で形成することを特徴とする方法。
【請求項１６】
請求項１０および１５双方を合わせた方法において、前記処理は、公称と呼ばれる第１処理動作、および前記歪みを含み、前記公称処理に対応するフィルタリングの組み合わせを発生する前記計算サブステップ（３０）およびフィルタリングの組み合わせを決定する前記ステップ（６）は、更に、前記歪みを表す歪み対に基づいて、前記計算サブステップ（３０）によって供給された前記フィルタリングの組み合わせを修正することによって、前記初期表現の係数に適用するフィルタリングの組み合わせを発生するため、少なくとも１つの歪みサブステップ（５０）を含むことを特徴とする方法。
【請求項１７】
請求項５および１６を合わせた方法において、前記１組のパラメータは、歪み効果を表すパラメータ（l）を含み、即ち、前記適用する処理と前記公称処理との間の類似性を指定することを特徴とする方法。
【請求項１８】
請求項１５記載の方法において、前記処理は歪みのみを含み、前記フィルタリングの組み合わせを決定するステップ（６）は、前記歪みを表す歪み対のみに基づいてフィルタリングの組み合わせを発生して、前記初期表現の係数に適用する前記フィルタリングの組み合わせを発生するため少なくとも１つの歪みサブステップ（５０）を含むことを特徴とする方法。
【請求項１９】
請求項１６から１８までのいずれか１項に記載の方法において、当該方法が、複数の歪みサブステップ（５０）を含み、該歪みサブステップが互いに対して再帰的であり、各歪みサブステップ（５０）が、先行のサブステップによって得られたフィルタリングの組み合わせを入力として受け取ることを特徴とする方法。
【請求項２０】
請求項１６から１９までのいずれか１項に記載の方法において、前記少なくとも１つの歪みサブステップ（５０）は、前記歪み対が直接目標としない前記初期表現の部分に対して実行する修正に対応するフィルタリングの組み合わせの決定を可能とすることを特徴とする方法。
【請求項２１】
請求項１０、１６および１８のいずれか１項に記載の方法において、前記処理を複数の基礎的処理動作に分割し、少なくともフィルタリングの組み合わせを決定する前記ステップ（６）を複数回繰り返し、前記フィルタリングの組み合わせは、種々の計算（３０）および／または歪み（５０）サブステップの結果得られ、前記初期表現の係数に適用されるフィルタリングの組み合わせを形成するように互いの間で配列した基本的処理動作に対応することを特徴とする方法。
【請求項２２】
請求項１から２１までのいずれか１項に記載の方法において、前記フィルタリングの組み合わせを決定する前記ステップ（６）は、所定のフォーマットで表された前記フィルタリングの組み合わせを変換して、前記フィルタリングの組み合わせを適用するステップ（１０）の実行を考慮して、所与のフィルタのパラメータ化に適したフィルタ・パラメータを供給するサブステップ（３２）を含むことを特徴とする方法。
【請求項２３】
請求項１から２２までのいずれか１項に記載の方法において、前記処理は空間処理であり、前記フィルタリングの組み合わせを適用するステップ（１０）は、前記初期表現の係数に適用する利得修正を含むことを特徴とする方法。
【請求項２４】
請求項１から２３までのいずれか１項に記載の方法において、前記処理は空間および周波数の処理であり、前記フィルタリングの組み合わせを適用するステップ（１０）は、周波数の関数として変化するフィルタを前記初期表現の係数に適用することを含むことを特徴とする方法。
【請求項２５】
請求項１から２４までのいずれか１項に記載の方法において、前記初音場表現および前記修正表現を表す前記１組の係数は、フーリエ−ベッセル係数と呼ばれる係数の組であることを特徴とする方法。
【請求項２６】
音場表現を処理し、前記音場の少なくとも空間処理に対応するこの処理の適用によって前記音場の表現を提供するためのデバイスであって、該デバイス（６０）は、時間および三空間次元での前記音場を表す１組の係数の形態で、前記音場の初期表現を入力として受け取り、前記初期表現の係数に適用する処理に対応するフィルタリングの組み合わせによって修正した表現を出力として供給し、前記デバイスは、前記処理動作を定める手段（６１）を備え、該手段が、
−球面調和に基づく方向性関数の分解に対応する１組の係数の形態で、前記処理動作を表す１組の方向性関数を確立する手段（６２、６４、６６）と、
−フィルタリング手段（８０）による使用のために、前記分解に基づいてフィルタリングの組み合わせを決定し、前記初期表現の係数を入力として受け取り、前記修正表現を出力として供給する手段（７０）と、
を備えたことを特徴とするデバイス。
【請求項２７】
請求項２６記載のデバイスにおいて、前記処理動作を定める手段（６１）は、複数のフォーマットの１つまたは別の１つで、前記デバイスのための処理データを直接取得するモジュール（６２）を備えていることを特徴とするデバイス。
【請求項２８】
請求項２６または２７記載のいずれかにデバイスにおいて、前記処理動作を定める手段（６１）は、処理命令を自動的に解釈し、自動的に複数の所定のフォーマットの１つまたは別の１つで処理データを供給するモジュール（６４）を備えていることを特徴とするデバイス。
【請求項２９】
請求項２７または請求項２８のいずれかに記載のデバイスにおいて、前記処理データは、前記処理動作を表す前記１組の方向性関数を含むことを特徴とするデバイス。
【請求項３０】
請求項２９記載のデバイスにおいて、前記処理動作を定める手段（６１）は、前記１組の方向性関数を、複数の所定のフォーマットの１つまたは別の１つから、球面調和に基づいた前記方向性関数の分解に対応する１組の係数に変換するのに適した変換モジュール（６６）を備えていることを特徴とするデバイス。
【請求項３１】
請求項２７または請求項２８のいずれかに記載のデバイスにおいて、前記処理データは、前記処理動作のための１組のパラメータを含むことを特徴とするデバイス。
【請求項３２】
請求項３１記載のデバイスにおいて、前記処理動作を定める手段（６１）は、前記処理動作の性質の関数として、前記１組のパラメータの全部または一部を計算するモジュールを備えていることを特徴とするデバイス。
【請求項３３】
請求項２６から３２までのいずれか１項に記載のデバイスにおいて、前記フィルタリングの組み合わせを決定する手段（７０）は、前記処理動作を表す方向性集合の、前記球面調和に基づく分解に対応する係数の線形結合によって、フィルタリングの組み合わせを計算するモジュール（７２）を備えていることを特徴とするデバイス。
【請求項３４】
請求項３１および３３を合わせたデバイスにおいて、前記１組の処理パラメータは１組の定数を含み、前記線形結合による計算モジュール（７２）は、前記１組の定数を重み係数として用いることを特徴とするデバイス。
【請求項３５】
請求項２６から３３までのいずれか１項に記載のデバイスにおいて、前記処理動作は少なくとも１つの歪みを含み、前記１組の方向性関数の全部または一部は前記初期表現に適用する前記歪みに対応する１組の歪み対を形成し、前記フィルタリングの組み合わせを決定する手段（７０）は、更に、前記歪み対に基づいた、前記計算モジュール（７２）によって供給されるフィルタリングの組み合わせの修正により、前記初期表現の係数に適用するフィルタリングの組み合わせを発生するため歪みモジュール（７４）を備えていることを特徴とするデバイス。
【請求項３６】
請求項２６から３２までのいずれか１項に記載のデバイスにおいて、前記処理動作は、１つ以上の歪みのみを含み、前記１組の方向性関数の全部または一部は、前記初期表現に適用する前記歪みに対応する１組の歪み対を形成し、前記フィルタリングの組み合わせを決定する手段（７０）は、前記歪み対のみに基づいて前記フィルタリングの組み合わせを発生するため歪みモジュール（７４）のみを備えていることを特徴とするデバイス。